【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】
外部から或いは内部を循環して供給されるパチンコ球を貯留すると共に、同貯留されたパチンコ球を払出機構に導く貯留部と、該貯留部に振動を発生させる振動発生器とを有する遊技機において、
前記貯留部を係着する係着部材と該貯留部との間に制振機能を有する制振手段を配設したことを特徴とする遊技機。
【請求項２】
前記制振手段が、機構板に設けられていることを特徴とする請求項１に記載の遊技機。
【請求項３】
前記機構板には、前記貯留部の固定箇所を包囲するように複数の切り込みが設けられていることを特徴とする請求項２に記載の遊技機。
【請求項４】
前記機構板において、前記貯留部を固定する固定箇所を含む領域が、同固定領域を含まない領域とは別体に設けられ、かつ、同固定箇所を含む領域と、同固定箇所を含まない領域とが、弾性を有する部材によって連結されていることを特徴とする請求項２に記載の遊技機。
【請求項５】
前記制振手段が、前記貯留部と前記機構板との間に設けられていることを特徴とする請求項１に記載の遊技機。
【請求項６】
前記制振手段が、前記貯留部と前記機構板との間を連結する係着部材に設けられていることを特徴とする請求項５に記載の遊技機。
【請求項７】
前記係着部材が、前記機構板に対して軸方向に往復運動自在に遊着され、かつ、同係着部材の周囲には、同機構板の内側と同係着部材の先端との間に第１弾性部材が配設され、同機構板の外側と前記貯留部との間に第２弾性部材が配設されていることを特徴とする請求項６に記載の遊技機。
【手続補正２】
【補正対象書類名】明細書
【補正対象項目名】０００８
【補正方法】変更
【補正の内容】
【０００８】
請求項２（手段１）
前記制振手段が、機構板に設けられていることを特徴とする請求項１に記載の遊技機。
上記のように構成した請求項２（手段１）にかかる発明においては、制振手段を機構板に設ける。すなわち、機構板の貯留部が固定されている箇所を包囲するように制振手段を設ける。ここで、振動発生器が駆動されて貯留部に振動が伝達されると、係着部材を介して機構板側にも振動が伝達される。しかし、機構板の貯留部が固定されている箇所の外周には、制振手段が設けられているので、機構板の制振手段が設けられている範囲の外には振動が伝達し難くなっている。
これにより、貯留部に設けられている振動発生器の振動を遊技者に感知され難くすることができ、遊技球の挙動に対する影響を低減することができる。
【手続補正３】
【補正対象書類名】明細書
【補正対象項目名】０００９
【補正方法】変更
【補正の内容】
【０００９】
請求項３（手段２）
前記機構板には、前記貯留部の固定箇所を包囲するように複数の切り込みが設けられていることを特徴とする請求項２（手段１）に記載の遊技機。
上記のように構成した請求項３（手段２）にかかる発明においては、機構板に設けられた貯留部の固定箇所を略囲繞するように複数の切り込みを設ける。すなわち、機構板において貯留部が固定されている固定箇所を含む領域と、固定箇所を含まない領域とに区切って、その境界部分に沿って複数の切り込みを形成する。すると、固定箇所を含む領域は、切り込みが施されていない箇所を介して固定箇所を含まない領域に連結された状態となる。ここで、振動発生器が駆動されて貯留部に振動が伝達されると、機構板の有する貯留部を固定している固定箇所を含む領域にも振動が伝わる。すると、貯留部の固定箇所を含む領域から固定箇所を含まない領域へは振動エネルギーが伝達されにくいので、その振動エネルギーの大部分は、固定箇所を含む領域だけを振動させた後収束する。
これにより、貯留部に設けられている振動発生器の振動を遊技者に感知され難くすることができ、遊技球の挙動に対する影響を低減することができる。また、機構板に切り込みを形成することで容易に振動を減衰させることができる。
【手続補正４】
【補正対象書類名】明細書
【補正対象項目名】００１０
【補正方法】変更
【補正の内容】
【００１０】
請求項４（手段３）
前記機構板において、前記貯留部を固定する固定箇所を含む領域が、同固定領域を含まない領域とは別体に設けられ、かつ、同固定箇所を含む領域と、同固定箇所を含まない領域とが、弾性を有する部材によって連結されていることを特徴とする請求項２（手段１）に記載の遊技機。
上記のように構成した請求項４（手段３）にかかる発明においては、貯留部を固定する固定箇所を含む領域が、固定箇所を含む領域とは別体に設けられ、かつ、固定箇所を含む領域と固定箇所を含まない領域とを弾性を有する部材によって連結する。この弾性を有する部材とは、例えば、コイルバネや板バネ、あるいはゴム材等の弾性体である。ここで、振動発生器が駆動されて貯留部に振動が伝達されると、貯留部を固定する固定箇所を含む領域にも振動が伝わる。すると、貯留部の固定箇所を含む領域が前後に振幅運動することにより、固定箇所を含まない領域へは振動エネルギーが伝達され難くなっている。従って、振動エネルギーは、固定箇所を含む領域だけを振動させた後収束する。
これにより、貯留部に設けられている振動発生器の振動を遊技者に感知され難くすることができ、遊技球の挙動に対する影響を低減することができる。さらに、弾性を有する部材の材質を変えることで振動の減衰率を自在に調整することができる。
【手続補正５】
【補正対象書類名】明細書
【補正対象項目名】００１１
【補正方法】変更
【補正の内容】
【００１１】
請求項５（手段４）
前記制振手段が、前記貯留部と前記機構板との間に設けられていることを特徴とする請求項１に記載の遊技機。
上記のように構成した請求項５（手段４）にかかる発明においては、制振手段が、貯留部と機構板との間に設けられている。ここで、振動発生器が駆動されて貯留部に振動が伝達されると、貯留部を機構板に連結している係着部材にも振動が伝達される。しかし、制振手段が貯留部と機構板との間に設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【手続補正６】
【補正対象書類名】明細書
【補正対象項目名】００１２
【補正方法】変更
【補正の内容】
【００１２】
請求項６（手段５）
前記制振手段が、前記貯留部と前記機構板との間を連結する係着部材に設けられていることを特徴とする請求項５（手段４）に記載の遊技機。
上記のように構成した請求項６（手段５）にかかる発明においては、貯留部と機構板との間を連結するための係着部材に制振手段を設ける。ここで、振動発生器が駆動されて貯留部に振動が伝達されると、貯留部を機構板に連結している係着部材にも振動が伝達される。しかし、制振手段が係着部材に設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【手続補正７】
【補正対象書類名】明細書
【補正対象項目名】００１３
【補正方法】変更
【補正の内容】
【００１３】
請求項７（手段６）
前記係着部材が、前記機構板に対して軸方向に往復運動自在に遊着され、かつ、同係着部材の周囲には、同機構板の内側と同係着部材の先端との間に第１弾性部材が配設され、同機構板の外側と前記貯留部との間に第２弾性部材が配設されていることを特徴とする請求項６（手段５）に記載の遊技機。
上記のように構成した請求項７（手段６）にかかる発明においては、係着部材を機構板とは軸方向に往復運動自在に遊着する。また、係着部材の周囲に機構板の内側と係着部材の先端との間に第１弾性部材を配設し、同機構板の外側と前記貯留部との間に第２弾性部材をそれぞれ配設することにより制振手段を形成する。ここで、振動発生器が駆動されて貯留部に振動が伝達されると、係着部材にも振動が伝達される。すると、係着部材は、機構板に対して遊着されているとともに、第１弾性部材と第２弾性部材とが設けられているので、貯留部の振動に合わせて前後に振幅運動する。
これにより、貯留部に設けられている振動発生器の振動を遊技者に感知され難くすることができ、遊技球の挙動に対する影響を低減することができる。
【手続補正８】
【補正対象書類名】明細書
【補正対象項目名】００２２
【補正方法】変更
【補正の内容】
【００２２】
以上説明したように本発明は、貯留部に設けられている振動発生器の振動を遊技者に感知され難くすることが可能な遊技機を提供することができる。
また、請求項２（手段１）にかかる発明によれば、貯留部に設けられている振動発生器の振動を遊技者に感知され難くすることができ、遊技球の挙動に対する影響を低減することができる。
また、請求項３（手段２）にかかる発明によれば、貯留部に設けられている振動発生器の振動を遊技者に感知され難くすることができ、遊技球の挙動に対する影響を低減することができる。また、機構板に切り込みを形成することで容易に振動を減衰させることができる。
また、請求項４（手段３）にかかる発明によれば、貯留部に設けられている振動発生器の振動を遊技者に感知され難くすることができる。さらに、弾性を有する部材の材質を変えることで振動の減衰率を自在に調整することができる。
また、請求項５（手段４）にかかる発明によれば、貯留部に設けられている振動発生器の振動を遊技者に感知され難くすることができ、遊技球の挙動に対する影響を低減することができる。
また、請求項６（手段５）にかかる発明によれば、貯留部に設けられている振動発生器の振動を遊技者に感知され難くすることができ、遊技球の挙動に対する影響を低減することができる。
また、請求項７（手段６）にかかる発明によれば、貯留部に設けられている振動発生器の振動を遊技者に感知され難くすることができ、遊技球の挙動に対する影響を低減することができる。
また、手段８にかかる発明によれば、貯留部に設けられている振動発生器の振動を遊技者に感知され難くすることができ、遊技球の挙動に対する影響を低減することができる。
また、手段９にかかる発明によれば、貯留部に設けられている振動発生器の振動を遊技者に感知され難くすることができ、遊技球の挙動に対する影響を低減することができる。
また、手段１０にかかる発明によれば、貯留部に設けられている振動発生器の振動を遊技者に感知され難くすることができ、遊技球の挙動に対する影響を低減することができる。
また、手段１１にかかる発明によれば、貯留部に設けられている振動発生器の振動を遊技者に感知され難くすることができ、遊技球の挙動に対する影響を低減することができる。
また、手段１２にかかる発明によれば、貯留タンクに設けられている振動発生器の振動を遊技者に感知され難くすることができ、遊技球の挙動に対する影響を低減することができる。
また、手段１３にかかる発明によれば、タンクレールに設けられている振動発生器の振動を遊技者に感知され難くすることができ、遊技球の挙動に対する影響を低減することができる。
また、手段１４にかかる発明によれば、パチロットに設けられている振動発生器の振動を遊技者に感知され難くすることができ、遊技球の挙動に対する影響を低減することができる。